(57)【特許請求の範囲】
【請求項１】
下側の石膏ボードと上側の断熱板とで発熱板を挟み、この発熱板に通電して発熱させることにより、石膏ボードから遠赤外線を放射して天井から暖房する天井輻射熱暖房パネルにおいて、前記発熱板として面状発熱体（４）を用い、この面状発熱体（４）は、カーボン素子を含浸させた導電性樹脂層（７）の両面が、その両側辺縁に形成された銅箔による帯状電極（８）と共に硬質の絶縁樹脂フィルム（９・１０）で被覆され、この帯状電極（８）の一端に、一方の絶縁樹脂フィルム（９）を貫通して該絶縁樹脂フィルム（９）上の円形カバー（１３）内に突入する半田（１２）が突設され、これに電源コード（１１）の芯線が接続されて、その接続部が、前記一方の絶縁樹脂フィルム（９）の上面まで前記円形カバー（１３）内に充填したモールド樹脂（１４）にて絶縁されていることを特徴とする天井輻射熱暖房パネル。
【請求項２】
２枚の天井輻射熱暖房パネルを並列した一ユニットとするため、これらの面状発熱体（４）が電源コード（１１）で互いに並列接続されていることを特徴とする請求項１記載の天井輻射熱暖房パネル。
【発明の詳細な説明】
【０００１】
【発明の属する技術分野】
本発明は、天井に設置して使用し、天井から遠赤外線を放射して輻射熱で暖房する天井輻射熱暖房パネルに関する。
【０００２】
【従来の技術】
本出願人は、この種の天井輻射熱暖房パネルとして実用新案登録第３０６６５２４号公報に開示されたものを既に提供している。この従来の天井輻射熱暖房パネルでは、下側の石膏ボードと上側の断熱板とで挟まれる発熱板として、金属箔を蛇行状態にして絶縁フィルムの基材上に配線し、その上から絶縁フィルムでオーバーコートしてフィルム状ヒータエレメントとし、これをサーモスタットと共に耐熱性シートによる袋状カバーに収納したものを使用している。
【０００３】
【発明が解決しようとする課題】
本発明の目的は、このような袋入り発熱板を用いていた従来のものよりも、発熱板の表面温度の立ち上がりが早いとともに、その表面の温度分布が均一でムラの無い遠赤外線放射が得られるに加え、消費電力も少なくなり、しかも薄型の発熱板の採用により、パネル全体の厚さの薄型化・軽量化も図れる天井輻射熱暖房パネルを提供することにある。
【０００４】
【課題を解決するための手段】
本発明の天井輻射熱暖房パネルは、石膏ボートを加熱して遠赤外線を放射させる発熱板として、発熱板として面状発熱体４を用いたものである。この面状発熱体４は、カーボン素子を含浸させた導電性樹脂層７の両面が、その両側辺縁に形成された銅箔による帯状電極８と共に硬質の絶縁樹脂フィルム９・１０で被覆され、この帯状電極８の一端に、一方の絶縁樹脂フィルム９を貫通して該絶縁樹脂フィルム９上の円形カバー１３内に突入する半田１２が突設され、これに電源コード１１の芯線が接続されて、その接続部が、一方の絶縁樹脂フィルム９の上面まで円形カバー１３内に充填したモールド樹脂１４にて絶縁されている。
【０００５】
２枚の天井輻射熱暖房パネルを並列した一ユニットとするため、これらの面状発熱体４を電源コード１１で互いに並列接続してもよい。
【０００６】
【発明の実施の形態】
次に、本発明の実施の形態を図面に基づいて詳細に説明する。図１は一枚の天井輻射熱暖房パネルの表面図で、一部を段階的に破断して示す。図２は同じくその裏面図、図３は一部分の拡大断面図、図４は分解図である。
【０００７】
本発明による天井輻射熱暖房パネル１は、４辺の枠材（木材）２ａ・２ｂ・２ｃ・２ｄを枠組みして枠体２とし、この枠体２の下面に石膏ボード３を接着剤等で固着し、この石膏ボード３上に面状発熱体４、更にその上に断熱板５を重ねて、これら面状発熱体４と断熱板５を枠体２内に納め、全体として１枚の矩形のパネルとしたものである。面状発熱体４は、両面粘着テープにより石膏ボード３の裏面（上面）に貼着されている。
【０００８】
石膏ボード３は、部屋の天井板となるもので、天井用の石膏ボードとして提供されている既製のものを使用することができる。この石膏ボード３の表面（下面）には、セラミックスを含む遠赤外線放射塗料が塗布されている。
【０００９】
面状発熱体４は、図５及び図６に示すように、カーボン素子を均一に含浸させた導電性樹脂層７の両面を、その両側辺縁に形成された銅箔による帯状の電極８と共に、硬質の耐熱性絶縁樹脂フィルム９・１０で被覆したものである。安全な給電のために、電極８の一端に電源コード１１が次のように接続されている。
【００１０】
図７において、帯状電極８の一端に、一方の絶縁樹脂フィルム９を貫通して該絶縁樹脂フィルム９上の円形カバー１３内に突入する半田１２が突設され、これに電源コード１１の芯線が接続されて、その接続部が、一方の絶縁樹脂フィルム９の上面まで円形カバー１３内に充填したモールド樹脂１４にて絶縁されている。
【００１１】
電源コード１１には、温度ヒューズを内蔵したサーモスタット１５・１６が接続され、これらサーモスタット１５・１６は、両面粘着テープにより絶縁樹脂フィルム９の表面に貼着され、また電源コード１１は固定テープ１７により絶縁樹脂フィルム９の表面に要所要所で固定されている。面状発熱体４から引き出された電源コード１１は、２枚の天井輻射熱暖房パネル１を並列させて一ユニットとして使用する場合、２枚の天井輻射熱暖房パネル１の面状発熱体４を並列接続できるように、分岐接続される。
【００１２】
サーモスタット１５・１６は、ある設定温度Ｔ１以上に上昇すると導電性樹脂層７への通電を遮断し、これらに内蔵された温度ヒューズは、Ｔ１より高いＴ２以上に温度上昇すると切れて、通電不能とする。
【００１３】
断熱板５は、グラスウールを板状に成型したもので、その上面には、遠赤外線の反射、輻射熱の断熱、防水（雨漏りによる漏電防止）等のためにアルミ箔１８が張り付けてある。また、枠体２の４辺の枠材２ａ・２ｂ・２ｃ・２ｄの上面からアルミ箔１８上に渡り防水テープ１９が貼着されている。
【００１４】
このような構造の天井輻射熱暖房パネル１は、その多数枚を部屋の天井部の野ブチ等に並べて支持して全体として天井面を構成し、その天井面全域、つまり遠赤外線放射塗料が塗布されている石膏ボード３の表面にクロス２０を貼付して、天井表面を仕上げる。
【００１５】
図８の電気系統図に、天井設置後における多数枚の天井輻射熱暖房パネル１の電気配線を示す。多数枚の天井輻射熱暖房パネル１はグループ分けして、各グループ内で面状発熱体４を電源コード１１により順次配線接続するとともに、各グループの一端の天井輻射熱暖房パネル１から引き出した電源ケーブル２１を中継端子ボックス２２の中継端子２３に接続し、またこの中継端子２３を分電盤２４と配線接続するとともに、中継端子ボックス２２内のプリント基板２５を集中制御コントローラ２６に配線接続する。天井輻射熱暖房パネル１による天井面の温度を検出するため、例えば任意の１枚の天井輻射熱暖房パネル１の外側に温度センサ（図示せず）を設置し、この温度センサとプリント基板２５とをセンサ用ケーブル２７にて接続する。
【００１６】
このような配線構成にすると、全ての天井輻射熱暖房パネル１への給電制御と温度制御を集中制御コントローラ２６にて集中して行える。集中制御コントローラ２６と中継端子ボックス２２とは一体化してもよい。
【００１７】
給電された天井輻射熱暖房パネル１は、その面状発熱体４が発熱して石膏ボード３が加熱されることにより、石膏ボード３から遠赤外線が放射すると同時に、その表面に塗布されている遠赤外線放射塗料からも遠赤外線が放射して放射量を増やすとともに、石膏ボード３の放射ムラを補償して遠赤外線を均等に放射する。遠赤外線放射塗料はセラミックスを含んでいるので、より多くの遠赤外線を放射できる。
【００１８】
面状発熱体４は、カーボン素子を均一に含浸させた導電性樹脂層７の両面を銅箔による帯状の電極８と共に、硬質の耐熱性絶縁樹脂フィルム９・１０で被覆したものであるので、表面温度の立ち上がりが早いとともに、その表面の温度分布が均一でムラの無い遠赤外線放射が得られるに加え、消費電力も少ない。しかも、薄いため、枠体２による収容空間の深さはグラスウールによる断熱板５を収容できる深さでこと足り、面状発熱体４の収容するための深さ分は不要である。
【００１９】
従って、面状発熱体４による発熱温度が低くても、天井輻射熱暖房パネル１による天井面から大量の遠赤外線が均等に放射されるので、少ない電力消費で部屋全体を遠赤外線の輻射熱により快適に暖房できる。また、天井輻射熱暖房パネル１の全体厚さを薄くできるとともに、軽量化できる。
【００２０】
個々の天井輻射熱暖房パネル１には、温度ヒューズを内蔵したサーモスタット１５・１６が付設され、つまりパネル１のそれぞれについて個別に温度過剰上昇防止手段が講じられ、更に集中制御コントローラ２６にて集中的に温度制御するので、安全性が極めて高い。
【００２１】
天井輻射熱暖房パネル１は、上記のような１枚構造で天井に設置してもよいが、前述のように２枚を並列に一体化して一ユニットとし、そのユニット状態で天井に設置してもよい。
【００２２】
【発明の効果】
以上説明したように、本発明は、石膏ボートを加熱して遠赤外線を放射させる発熱板として、カーボン素子を含浸させた導電性樹脂層の両面を絶縁樹脂フィルムで被覆してなる面状発熱体を用いたので、表面温度の立ち上がりが早いとともに、その表面の温度分布が均一でムラの無い遠赤外線放射が得られるに加え、消費電力も少ない。しかも、薄いため、天井輻射熱暖房パネル１の全体厚さを薄くできるとともに、軽量化できる。また、面状発熱体と電源コードとの接続を安全に行える。
【００２３】
請求項２によれば、２枚を並列に一体化して一ユニットとし、そのユニット状態で天井に設置することができる。
【図面の簡単な説明】
【図１】本発明による天井輻射熱暖房パネルの一部を段階的に破断して示す表面図である。
【図２】同じく裏面図である。
【図３】一部分の拡大断面図である。
【図４】分解斜視図である。
【図５】面状発熱体の一部切欠裏面図である。
【図６】その側面図である。
【図７】面状発熱体と電源コードとの接続部の拡大断面図である。
【図８】天井輻射熱暖房パネルをグループ分けして天井に設置した場合の電気系統図である。
【符号の説明】
１  天井輻射熱暖房パネル
２  枠体
２ａ・２ｂ・２ｃ・２ｄ  枠材
３  石膏ボード
４  面状発熱体
５  断熱板
７  導電性樹脂層
８  電極
９・１０  絶縁樹脂フィルム
１１  電源コード
１２  半田
１３  円形カバー
１４  モールド樹脂
１５・１６  サーモスタット
１７  固定テープ
１８  アルミ箔
１９  防水テープ
２０  クロス
２１  電源ケーブル
２２  中継端子ボックス
２３  中継端子
２４  分電盤
２５  プリント基板
２６  集中制御コントローラ
２７  センサ用ケーブル
【図１】
0003560028.tif 000002
【図２】
0003560028.tif 000003
【図３】
0003560028.tif 000004
【図４】
0003560028.tif 000005
【図５】
0003560028.tif 000006
【図６】
0003560028.tif 000007
【図７】
0003560028.tif 000008
【図８】
0003560028.tif 000009